(57)【要約】【課題】本発明は、従来にない作用効果を発揮する画期的な救助具を提供することを目的とする。【解決手段】ロープ１と、このロープ１を収納する袋体２とから成る救助具であって、前記ロープ１は、基端部が前記袋体２の外側に連結されて前記袋体２内に収納されており、また、前記ロープ１は、先端部から開口部２ａを介して前記袋体２外へ導出可能に構成されており、前記袋体２には該袋体２を身体に巻き付け装着するベルト体３が設けられ、このベルト体３は前記袋体２から着脱自在に設けられたものである。【選択図】図１
2018001947.tif 000002
【特許請求の範囲】
【請求項１】
ロープと、このロープを収納する袋体とから成る救助具であって、前記ロープは、基端部が前記袋体の外側に連結されて前記袋体内に収納されており、また、前記ロープは、先端部から開口部を介して前記袋体外へ導出可能に構成されており、前記袋体には該袋体を身体に巻き付け装着するベルト体が設けられ、このベルト体は前記袋体から着脱自在に設けられていることを特徴とする救助具。
【請求項２】
請求項１記載の救助具において、前記ベルト体は前記袋体に面ファスナー部を介して着脱自在に設けられていることを特徴とする救助具。
【請求項３】
請求項１，２いずれか１項に記載の救助具において、前記ベルト体は該ベルト体の一端部と他端側部とを連結するバックル部を有するものであることを特徴とする救助具。
【請求項４】
請求項３記載の救助具において、前記バックル部として、バックル本体に起伏自在に設けられたレバー体を起立動させることで連結解除可能なクイックリリース式のバックル部を採用したことを特徴とする救助具。
【請求項５】
請求項１〜４いずれか１項に記載の救助具において、前記袋体は端部に開口部を有する有底筒状体であり、底部から開口部側へ径大となるように構成されていることを特徴とする救助具。
【請求項６】
請求項１〜５いずれか１項に記載の救助具において、前記ロープは水に浮くものであることを特徴とする救助具。
【請求項７】
請求項１〜６いずれか１項に記載の救助具において、前記袋体の開口部の対向位置には該袋体内へ前記ロープを収納する際に使用する指掛け部が設けられていることを特徴とする救助具。
【発明の詳細な説明】
【技術分野】
【０００１】
本発明は、例えば水難救助に使用される救助具に関するものである。
【背景技術】
【０００２】
従来から、例えば河川，海，湖などの水域にて救助を要する際に使用する救助具が提案されている。
【０００３】
この従来例は、ロープと、このロープを収納する袋体とから成る救助具であって、ロープは、基端部が袋体の外側に連結されて袋体内に収納されており、また、ロープは、先端部から開口部を介して袋体２外へ導出可能に構成されており、例えば河川，海，湖などの水域にて被救助者を救助する際は、ロープの先端部を持って袋体を被救助者へ向けて投げると、袋体はロープを導出しながら被救助者まで達し、被救助者が袋体若しくはロープを掴んだのを確認した後、ロープを引動し、安全な場所へ引き寄せ、救出する。
【発明の概要】
【発明が解決しようとする課題】
【０００４】
ところで、前述した救助活動は、現場へ移動する際、袋体を身体に装着して移動する方が安全の為、袋体には該袋体を身体に巻き付け装着するベルト体が設けられているが、袋体を投げた際、このベルト体が被救助者に当たり、被救助者が負傷するケースがある。
【０００５】
本発明は、このような問題点を解消したもので、従来にない作用効果を発揮する画期的な救助具を提供する。
【課題を解決するための手段】
【０００６】
添付図面を参照して本発明の要旨を説明する。
【０００７】
ロープ１と、このロープ１を収納する袋体２とから成る救助具であって、前記ロープ１は、基端部が前記袋体２の外側に連結されて前記袋体２内に収納されており、また、前記ロープ１は、先端部から開口部２ａを介して前記袋体２外へ導出可能に構成されており、前記袋体２には該袋体２を身体に巻き付け装着するベルト体３が設けられ、このベルト体３は前記袋体２から着脱自在に設けられていることを特徴とする救助具に係るものである。
【０００８】
また、請求項１記載の救助具において、前記ベルト体３は前記袋体２に面ファスナー部４を介して着脱自在に設けられていることを特徴とする救助具に係るものである。
【０００９】
また、請求項１，２いずれか１項に記載の救助具において、前記ベルト体３は該ベルト体３の一端部と他端側部とを連結するバックル部５を有するものであることを特徴とする救助具に係るものである。
【００１０】
また、請求項３記載の救助具において、前記バックル部５として、バックル本体５ａに起伏自在に設けられたレバー体５ｂを起立動させることで連結解除可能なクイックリリース式のバックル部を採用したことを特徴とする救助具に係るものである。
【００１１】
また、請求項１〜４いずれか１項に記載の救助具において、前記袋体２は端部に開口部２ａを有する有底筒状体であり、底部２ｂから開口部２ａ側へ径大となるように構成されていることを特徴とする救助具に係るものである。
【００１２】
また、請求項１〜５いずれか１項に記載の救助具において、前記ロープ１は水に浮くものであることを特徴とする救助具に係るものである。
【００１３】
また、請求項１〜６いずれか１項に記載の救助具において、前記袋体２の開口部２ａの対向位置には該袋体２内へ前記ロープ１を収納する際に使用する指掛け部６が設けられていることを特徴とする救助具に係るものである。
【発明の効果】
【００１４】
本発明は上述のように構成したから、被救助者が負傷することを可及的に抑制できるなど、従来にない作用効果を発揮する画期的な救助具となる。
【図面の簡単な説明】
【００１５】
【図１】本実施例を示す斜視図である。
【図２】本実施例の袋体２とベルト体３とを分離した状態の斜視図である。
【図３】本実施例の袋体２にロープ１を収納する状態の説明図である。
【図４】本実施例に別の救助具を装着した状態の説明図である。
【図５】本実施例の使用状態説明図である。
【図６】本実施例の使用状態説明図である。
【発明を実施するための形態】
【００１６】
好適と考える本発明の実施形態を、図面に基づいて本発明の作用を示して簡単に説明する。
【００１７】
水域において救助へ向かう際、身体にベルト体３を巻き付け装着することで袋体２を手に持たず現場まで移動できる。
【００１８】
現場に到着後、袋体２をベルト体３から取外し、ロープ１の先端部を持って袋体２を被救助者へ向けて投げると、袋体２はロープ１を導出しながら被救助者まで達する。従って、ベルト体３が被救助者に当たる事は無い。
【００１９】
続いて、被救助者がこの袋体２若しくはロープ１を掴んだのを確認した後、ロープ１を引動し、被救助者を安全な場所へ引き寄せ、救助する。
【００２０】
従って、迅速且つ良好に救助活動が行えるのは勿論、被救助者が負傷することを可及的に抑制できることになる。
【実施例】
【００２１】
本発明の具体的な実施例について図面に基づいて説明する。
【００２２】
本実施例は、ロープ１と、このロープ１を収納する袋体２とから成る救助具であって、ロープ１は、基端部が袋体２の外側に連結されて袋体２内に収納されており、また、ロープ１は、先端部から開口部２ａを介して袋体２外へ導出可能に構成されており、袋体２には該袋体２を身体に巻き付け装着するベルト体３が設けられ、このベルト体３は袋体２から着脱自在に設けられたものである。
【００２３】
以下、本実施例に係る構成各部について詳細な説明をする。
【００２４】
ロープ１は、図３に図示したように適宜な合成樹脂製の部材で形成されたものであり、所定長さを有して水に浮くように構成されている。
【００２５】
袋体２は、図１，２に図示したように適宜な合成樹脂製の部材（ナイロン）で形成した有底筒状体（円筒体）であり、上部の開口部２ａには絞り紐７が設けられている。
【００２６】
また、袋体２は、後述するベルト体３と面ファスナー部４を介して着脱自在に連結される。
【００２７】
具体的には、袋体２の周面には長さ方向に帯状のループ係合素子４ｂが設けられており、このループ係合素子４ｂにベルト体３に設けられるフック係合素子４ａを係脱自在に係合連結されるよう構成されている。
【００２８】
また、袋体２のループ係合素子４ｂの両端位置には、ベルト体３に設けられる挿入係止部材８を挿入係止し得る合成樹脂製の被係止部材９が設けられている。尚、袋体２とベルト体３との連結は面ファスナー部４のみでも良い。
【００２９】
また、袋体２の底部２ｂ中央位置には孔部２ｃが設けられており、この孔部２ｃから袋体２内に配したロープ１の基端部を外部に出して結び目を設けることで、ロープ１を抜け止め係止連結するように構成されている。
【００３０】
また、袋体２の開口部２ａの対向位置にはリング状の指掛け部６が設けられている。
【００３１】
従って、図３に図示したように指掛け部６に左右の手の指を掛けて開口部２ａを開いた状態で袋体２内へロープ１を螺旋状に収納する。
【００３２】
また、袋体２は、底部２ｂから開口部２ａにかけて上側程（開口部２ａ側程）径大となるように構成されている。
【００３３】
従って、袋体２内へのロープ１の収納作業や、袋体２を投げた際に該袋体２内からロープ１の導出が良好に行われる。
【００３４】
ベルト体３は、図１，２，４，５に図示したように適宜な合成樹脂製の部材（ナイロン）で形成した帯状体であり、救助者の腰部に巻き付け装着し得る長さに設定されている。
【００３５】
このベルト体３の一端部（基端部）には、このベルト体３の他端部（先端部）と連結するバックル部５が設けられている。
【００３６】
バックル部５は、図１，２に図示したように適宜な合成樹脂製の部材で形成ものであり、バックル部５として、バックル本体５ａに起伏自在に設けられたレバー体５ｂを起立動させることで締結解除可能なクイックリリース式のバックル部が採用されている。
【００３７】
また、ベルト体３の外面部には面ファスナー部４を構成する帯状のフック係合素子４ａが設けられており、更に、このフック係合素子４ａの両端位置には袋体２に設けられる被係止部材９に挿入係止し得る挿入係止部材８が設けられている。
【００３８】
また、ベルト体３には、他の救助具Ｘを連結する連結部10が設けられている。
【００３９】
この連結部10は、図１，２，４に図示したようにベルト体３の周面所定位置から帯状突片10ａを突設し、この帯状突片10ａの先端部をベルト体３の所定位置に設けたバックル部11（バックル本体11ａとレバー体11ｂとから成るクリックリリースバックル）に連結可能に設けられている。
【００４０】
従って、図４に図示したように他の救助具Ｘ（ロープと、このロープの先端部が連結され該ロープを開口部から導出可能に収納する袋体とから成る手持ちタイプの救助具）を連結しておき、必要に応じて使用することができる。
【００４１】
本実施例は上述のように構成したから、水域において救助へ向かう際、身体にベルト体３を巻き付け装着することで袋体２を手に持たず現場まで移動できる。
【００４２】
現場に到着後、袋体２をベルト体３から取外し、ロープ１の先端部を持って袋体２を被救助者へ向けて投げると、袋体２はロープ１を導出しながら被救助者まで達する。従って、ベルト体３が被救助者に当たる事は無い。
【００４３】
続いて、被救助者がこの袋体２若しくはロープ１を掴んだのを確認した後、ロープ１を引動し、被救助者を安全な場所へ引き寄せ、救助する。
【００４４】
よって、本実施例によれば、迅速且つ良好に救助活動が行えるのは勿論、被救助者が負傷することを可及的に抑制できることになる。
【００４５】
また、本実施例は、ベルト体３は袋体２に面ファスナー部４を介して着脱自在に設けられているから、簡易構造で確実にベルト体３から袋体２を取外すことができ、しかも、迅速に連結状態を解除することができ、緊急時に良好に対応することができる。
【００４６】
また、本実施例は、ベルト体３は該ベルト体３の一端部と他端側部とを連結するバックル部５を有するものであるから、身体への装着が良好に行われる。
【００４７】
また、本実施例は、バックル部５として、バックル本体５ａに起伏自在に設けられたレバー体５ｂを起立動させることで連結解除可能なクイックリリース式のバックル部を採用したから、身体に装着したベルト体３を直ちに外したい場合などに有効である。
【００４８】
また、本実施例は、袋体２は端部に開口部２ａを有する有底筒状体であり、底部２ｂから開口部２ａ側へ径大となるように構成されているから、袋体２内へのロープ１の収納作業や、袋体２を投げた際に該袋体２内からロープ１の導出が良好に行われる。
【００４９】
また、本実施例は、ロープ１は水に浮くものであるから、水域において使用する救助具として良好なものとなる。
【００５０】
また、本実施例は、袋体２の開口部２ａの対向位置には該袋体２内へ前記ロープ１を収納する際に使用する指掛け部６が設けられているから、袋体２内へのロープ１の収納作業が良好に行えることになる。
【００５１】
尚、本発明は、本実施例に限られるものではなく、各構成要件の具体的構成は適宜設計し得るものである。
【符号の説明】
【００５２】
１  ロープ
２  袋体
２ａ  開口部
２ｂ  底部
３  ベルト体
４  面ファスナー部
５  バックル部
５ａ  バックル本体
５ｂ  レバー体
６  指掛け部
【図１】
2018001947.tif 000003
【図２】
2018001947.tif 000004
【図３】
2018001947.tif 000005
【図４】
2018001947.tif 000006
【図５】
2018001947.tif 000007
【図６】
2018001947.tif 000008